(57)【要約】【課題】径の異なる複数の巻き軸に対応できるとともに、巻き軸に対してワンタッチで巻装でき、作業性を向上できる絶縁テープを提供することにある。【解決手段】巻き軸４にコイルを巻回する前に前記巻き軸４の外周に巻装したり、巻回されたコイルの外周に巻装してコイルと層間絶縁する絶縁テープにおいて、前記絶縁テープ本体１を形状記憶樹脂フィルムによって形成し、絶縁テープ本体１を前記巻き軸４の外周に巻き付くようにロール状に形状記憶させたことを特徴とする。【選択図】    図１
2004158788.tif 000002
【特許請求の範囲】
【請求項１】
巻き軸にコイルを巻回する前に前記巻き軸の外周に巻装したり、巻回されたコイルの外周に巻装してコイルと層間絶縁する絶縁テープにおいて、
前記絶縁テープ本体を形状記憶樹脂フィルムによって形成し、絶縁テープ本体を前記巻き軸の外周に巻き付くようにロール状に形状記憶させたことを特徴とする絶縁テープ。
【請求項２】
巻き軸にコイルを巻回する前に前記巻き軸の外周に巻装したり、巻回されたコイルの外周に巻装してコイルと層間絶縁する絶縁テープにおいて、
前記絶縁テープ本体を弾性を有する絶縁材料によって形成し、絶縁テープ本体を前記巻き軸の外周に巻き付くようにロール状に成形したことを特徴とする絶縁テープ。
【発明の詳細な説明】
【０００１】
【発明の属する技術分野】
この発明は、例えば、小型トランス、チョークコイル等の組立て時に、ボビン等の巻き軸にコイルを巻回する前に、巻き軸の外周に巻装したり、巻回されたコイルの外周に巻装してコイルと層間絶縁する絶縁テープに関する。
【０００２】
【従来の技術】
カメラ等の光学機器や小型電子機器等に使用される小型トランス、チョークコイルの組立て工程において、ボビンの巻き軸にコイルを巻回する際には、ボビンとコイルとを電気的に絶縁するために巻き軸に絶縁テープを巻装している。
【０００３】
この絶縁テープは、紙、樹脂フィルム等からなり、片面に粘着層を有したロール状の粘着テープを用いている。そして、巻線機あるいは手作業によって巻き軸にコイルを巻回する前に、粘着テープを所定の長さに切断し、巻き軸の外周に巻き付けている。しかし、小型トランス、チョークコイルにおいては、巻き軸の長さ及び外径寸法は数ｍｍ単位であり、粘着テープを巻き付ける作業が困難であった。また、テープの片面に粘着層があるため、粘着層の分だけ厚くなり、巻き太りの原因となる。
【０００４】
そこで、帯状の絶縁フィルムの長手方向の両端部及び中途部に爪とこの爪が係合する孔を設け、絶縁フィルムを巻き軸に巻き付けた状態で、爪と孔を係合して絶縁フィルムの両端部を結合するようにした絶縁フィルムが知られている。（例えば、特許文献１参照）
【０００５】
【特許文献１】
実開平２−４５６１１号公報（請求項１，２及び第１図〜第４図）
【０００６】
【発明が解決しようとする課題】
しかしながら、特許文献１のものは、絶縁フィルムを巻き軸に巻き付けた状態で、爪と孔を係合して絶縁フィルムの両端部を結合するという面倒な作業が必要である。また、径の異なる複数の巻き軸に対応させるためには、絶縁フィルムの中途部に複数の爪や孔を設ける必要があり、加工が困難で、コストアップの原因となる。
【０００７】
この発明は、前記事情に着目してなされたもので、その目的とするところは、径の異なる複数の巻き軸に対応できるとともに、巻き軸に対してワンタッチで巻装できる絶縁テープを提供することにある。
【０００８】
【課題を解決するための手段】
この発明は、前記目的を解決するために、請求項１は、巻き軸にコイルを巻回する前に前記巻き軸の外周に巻装したり、巻回されたコイルの外周に巻装してコイルと層間絶縁する絶縁テープにおいて、前記絶縁テープ本体を形状記憶樹脂フィルムによって形成し、絶縁テープ本体を前記巻き軸の外周に巻き付くようにロール状に形状記憶させたことを特徴とする。
【０００９】
請求項２は、巻き軸にコイルを巻回する前に前記巻き軸の外周に巻装したり、巻回されたコイルの外周に巻装してコイルと層間絶縁する絶縁テープにおいて、前記絶縁テープ本体を弾性を有する絶縁材料によって形成し、絶縁テープ本体を前記巻き軸の外周に巻き付くようにロール状に成形したことを特徴とする。
【００１０】
前記構成によれば、絶縁テープ本体をロール状から展開させて巻き軸に巻装すると、絶縁テープ本体が形状記憶または弾性によってロール状に復元して巻き軸にワンタッチで装着される。また、巻き軸に巻回したコイルの外周に装着して層間絶縁テープとして使用する場合も同様である。従って、絶縁テープ本体に粘着層が不要となり、フィルムの巻き終り端を固定する係合爪等が不要となる。
【００１１】
【発明の実施の形態】
以下、この発明の実施の形態を図面に基づいて説明する。
【００１２】
図１は第１の実施形態を示し、絶縁テープをトランス等の巻き軸に巻装する工程を示す。（ａ）は絶縁テープ本体１を示し、この絶縁テープ本体１は形状記憶樹脂フィルムによって形成された所定の長さの帯状体である。
【００１３】
この絶縁テープ本体１は加熱処理によって後述する巻き軸の外周に巻き付くようにロール状に形状記憶させている。（ｂ）はロール状に形状記憶された絶縁テープ本体１を示し、（ｃ）に示すように、作業者が手に持って扁平状に展開しても、手を放すと、（ｂ）に示すようにロール状に復元するようになっている。
【００１４】
（ｄ）は作業台２にトランスのボビン３を載置した状態を示し、このボビン３は、例えばマンガン系のフエライト材のように電気絶縁性の低い材料で形成され、巻き軸（胴）４の両端にフランジ５が一体に設けられている。
【００１５】
巻き軸４にコイルを巻回する前工程として、絶縁テープ本体１の両端を持って扁平状に展開した状態で、その内面を巻き軸４の側面に押し当てる。そして、絶縁テープ本体１を巻き軸４に巻き付ける要領で、手を放すと、絶縁テープ本体１はロール状に復元するため、巻き軸４に対して絶縁テープ本体１がワンタッチで巻装される。しかも、絶縁テープ本体１は縮径方向に付勢されているため、（ｅ）に示すように、巻き軸４に密着状態に装着され、絶縁テープ本体１の両端が反ることもない。
【００１６】
絶縁テープ本体１の長さは、巻き軸４を丁度１周する長さであればよいが、１周より長く、両端部が重なるようにしてもよい。さらに、絶縁テープ本体１の長さを巻き軸４の周長より長くすることにより、径が異なる複数の巻き軸４に対応できるとともに、巻き軸４に巻回したコイルの外周に巻装して層間絶縁テープとしても利用できる。
【００１７】
図２は第２の実施形態を示し、第１の実施形態と同一構成部分は同一番号を付して説明を省略する。本実施形態は、絶縁テープ本体１の一端部には係止爪６が設けられている。絶縁テープ本体１の他端部には係止爪６が係止可能な１本もしくは複数本のスリット７が設けられている。
【００１８】
従って、第１の実施形態と同様に巻き軸４に絶縁テープ本体１を巻装した後、係止爪６をいずれか一つのスリット７に係止することにより、絶縁テープ本体１を巻き軸４に一層確実に装着できる。
【００１９】
図３は第３の実施形態を示し、絶縁テープ本体８は弾性を有する絶縁材料、例えば合成樹脂フィルムによって形成された所定の長さの帯状体である。この絶縁テープ本体８は加熱処理によって巻き軸４の外周に巻き付くようにロール状に成形されている。
【００２０】
この絶縁テープ本体８の長さは、巻き軸４を１周する長さより若干短く、巻き軸４に巻装したとき両端部が重なることなく、隙間ｇが形成される。そこで、もう１枚の絶縁テープ本体８によって隙間ｇを覆うように巻き軸４に巻装することにより、２枚の絶縁テープ本体８の両端部が重なって絶縁される。２枚の絶縁テープ本体８を使用することにより、径が異なる複数の巻き軸４に対応できるとともに、巻き軸４に巻回したコイルの外周に巻装して層間絶縁テープとしても利用できる。
【００２１】
前述したように、絶縁テープ本体１，８をロール状から展開させて巻き軸４に巻装すると、絶縁テープ本体１，８が形状記憶または弾性によってロール状に復元して巻き軸４にワンタッチで装着される。また、巻き軸４に巻回したコイルの外周に装着して層間絶縁テープとして使用することもできる。
【００２２】
前記実施形態においては、ボビンの巻き軸をマンガン系のフエライト材のように電気絶縁性の低い材料で形成したが、巻き軸の材料は限定されるものではない。
【００２３】
【発明の効果】
以上説明したように、この発明によれば、径の異なる複数の巻き軸に対応できるとともに、巻き軸に対してワンタッチで巻装でき、作業性を向上できる。しかも、テープに粘着層を設ける必要がなく、巻き太りを防止できるという効果がある。
【図面の簡単な説明】
【図１】この発明の第１の実施形態を示し、（ａ）〜（ｅ）は絶縁テープをトランス等の巻き軸に巻装する工程を示す斜視図。
【図２】この発明の第２の実施形態を示し、（ａ）は絶縁テープの斜視図、（ｂ）は巻き軸に巻装した状態の斜視図。
【図３】この発明の第３の実施形態を示し、（ａ）は絶縁テープの斜視図、（ｂ）は１枚の絶縁テープを巻き軸に巻装した状態の斜視図、（ｃ）は２枚の絶縁テープを巻き軸に巻装した状態の平面図。
【符号の説明】
１，８…絶縁テープ
４…巻き軸
【図１】
2004158788.tif 000003
【図２】
2004158788.tif 000004
【図３】
2004158788.tif 000005